(57)【要約】【課題】携帯電話などの民生用電子機器や重要印刷物の台紙などの重要書類に秘密情報を印刷する際に、印刷物の偽造防止効果を高めて容易な模倣を阻止する。【解決手段】複数色のフォトクロミックインクを用いて、印刷媒体２に第１の情報３を印刷する。これにより、民生用電子機器や重要書類などの印刷物１について、複数段階のセキュリティで偽造を効果的に防止することができる。そのため、印刷物１の偽造防止効果を高めて容易な模倣を阻止することが可能となる。【選択図】図１
2010173292.tif 000002
【特許請求の範囲】
【請求項１】
複数色のフォトクロミックインクを用いて、印刷媒体に第１の情報を印刷することを特徴とする印刷方法。
【請求項２】
特定波長域の赤外線に反応して可視光線を発光する赤外線発光インクを用いて、前記印刷媒体に第２の情報を印刷することを特徴とする請求項１に記載の印刷方法。
【請求項３】
前記第２の情報として、前記第１の情報と同一の情報を前記印刷媒体における前記第１の情報と同一の部位に印刷することを特徴とする請求項２に記載の印刷方法。
【請求項４】
可視光に対して透明で、かつ紫外線で発光する蛍光インクを用いて、前記印刷媒体に第３の情報を印刷することを特徴とする請求項１乃至３のいずれかに記載の印刷方法。
【請求項５】
前記第３の情報として、前記第１の情報と同一の情報を前記印刷媒体における前記第１の情報と同一の部位に印刷することを特徴とする請求項４に記載の印刷方法。
【請求項６】
可視インクを用いて、前記印刷媒体に第４の情報を印刷することを特徴とする請求項１乃至５のいずれかに記載の印刷方法。
【請求項７】
前記第４の情報として、前記第１の情報と同一の情報を前記印刷媒体における前記第１の情報と同一の部位に印刷することを特徴とする請求項６に記載の印刷方法。
【請求項８】
波長の異なる光源に反応して発光する複数種類のインクを用いて、前記印刷媒体に第５の情報を印刷することを特徴とする請求項１に記載の印刷方法。
【請求項９】
前記第５の情報として、前記第１の情報と同一の情報を前記印刷媒体における前記第１の情報と同一の部位に印刷することを特徴とする請求項８に記載の印刷方法。
【請求項１０】
複数色のフォトクロミック染料による第１の情報が、印刷媒体に印刷されていることを特徴とする印刷物。
【請求項１１】
特定波長域の赤外線に反応して可視光線を発光する赤外線発光染料による第２の情報が、前記印刷媒体に印刷されていることを特徴とする請求項１０に記載の印刷物。
【請求項１２】
前記第２の情報は、前記第１の情報と同一の情報であって、前記印刷媒体における前記第１の情報と同一の部位に印刷される情報であることを特徴とする請求項１１に記載の印刷物。
【請求項１３】
可視光に対して透明で、かつ紫外線で発光する蛍光染料による第３の情報が、前記印刷媒体に印刷されていることを特徴とする請求項１０乃至１２のいずれかに記載の印刷物。
【請求項１４】
前記第３の情報は、前記第１の情報と同一の情報であって、前記印刷媒体における前記第１の情報と同一の部位に印刷される情報であることを特徴とする請求項１３に記載の印刷物。
【請求項１５】
可視染料による第４の情報が、前記印刷媒体に印刷されていることを特徴とする請求項１０乃至１４のいずれかに記載の印刷物。
【請求項１６】
前記第４の情報は、前記第１の情報と同一の情報であって、前記印刷媒体における前記第１の情報と同一の部位に印刷される情報であることを特徴とする請求項１５に記載の印刷物。
【請求項１７】
波長の異なる光源に反応して発光する複数種類の染料による第５の情報が、前記印刷媒体に印刷されていることを特徴とする請求項１０に記載の印刷物。
【請求項１８】
前記第５の情報は、前記第１の情報と同一の情報であって、前記印刷媒体における前記第１の情報と同一の部位に印刷される情報であることを特徴とする請求項１７に記載の印刷物。
【発明の詳細な説明】
【技術分野】
【０００１】
本発明は、携帯電話、カメラなどの民生用電子機器（その部品を含む。以下同様）、或いは、重要印刷物の台紙、紙幣用紙、各種証券、証明書、金券、商品券、チケット、金額表示タグなどの重要書類に秘密情報を印刷する際に適用するに好適な印刷方法および印刷物に関するものである。
【背景技術】
【０００２】
この種の民生用電子機器や重要書類においては、パソコン（パーソナルコンピュータ）およびソフトウェアによる印字フォント等の発達と、インクジェット、昇華転写、溶融熱転写などの印刷方法の発達により、簡単に同じ印字を行うことができるようになったため、容易に偽造しやすい状況にある。こうした状況下、近年、これらの民生用電子機器および重要書類に対する偽造防止の必要性が増している。
【０００３】
このような偽造防止を必要とするもののうち、ある種のものでは、真正なものである保証がなされていることが重要であり、変造を防止することを目的として偽造防止用印刷が施されている。このような偽造防止用印刷としては、例えば、ステルスインクまたは蛍光インクを用いて印刷することにより、可視光線下では見ることができず、特殊な光源下でのみ情報を確認できるようにする技術（以下、公知技術１という。）が提案されていた（例えば、特許文献１〜３参照）。
【０００４】
また、偽造防止を必要とする別種のものでは、個人が本人であることの証明、または製品が特定の製造元で製造された証明がなされていることが重要であり、偽造によって個人や製造元に不利益が与えられる事態を回避することを目的として偽造防止用印刷が施されている。このような偽造防止用印刷としては、例えば、ホログラムを利用した印刷を施す技術（以下、公知技術２という。）が提案されていた（例えば、特許文献４参照）。
【先行技術文献】
【特許文献】
【０００５】
【特許文献１】特開平９−１６０４９５号公報
【特許文献２】特開平９−１７４９９６号公報
【特許文献３】特開平１０−２８７０４３号公報
【特許文献４】特開平６−４３７９９号公報
【発明の概要】
【発明が解決しようとする課題】
【０００６】
しかしながら、公知技術１では、カラーコピーには偽造防止効果はあるものの、ＯＣＲ（光学式文字読み取り装置）を用いれば、蛍光インクで隠し印刷された情報も簡単に読み取ることができる。さらに、蛍光インクの入手も容易であり、産業用インクジェットプリンタも汎用的になり、これらを組み合わせて偽造印刷をすることは比較的簡単である。したがって、ステルスインクや蛍光インクで隠し情報を印刷しただけでは、民生用電子機器や重要書類の偽造、変造などを確実に防止することは難しい。
【０００７】
他方、公知技術２では、以前と比べてレーザー光源が入手しやすくなり、ホログラム印刷が容易になっていることから、現在では偽造防止効果が薄くなっている。
【０００８】
本発明は、このような事情に鑑み、容易な模倣を阻止することが可能な偽造防止効果の高い印刷方法および印刷物を提供することを目的とする。
【課題を解決するための手段】
【０００９】
本発明に係る第１の印刷方法は、複数色のフォトクロミックインクを用いて、印刷媒体（２）に第１の情報（３）を印刷する印刷方法としたことを特徴とする。
【００１０】
本発明に係る第１の印刷物は、複数色のフォトクロミック染料による第１の情報（３）が、印刷媒体（２）に印刷されている印刷物（１）としたことを特徴とする。
【００１１】
なお、ここでは、本発明をわかりやすく説明するため、実施の形態を表す図面の符号に対応づけて説明したが、本発明が実施の形態に限定されるものでないことは言及するまでもない。
【発明の効果】
【００１２】
本発明によれば、民生用電子機器や重要書類などの印刷物について、複数段階のセキュリティで偽造を効果的に防止することができるため、その偽造防止効果を高めて容易な模倣を阻止することが可能となる。
【図面の簡単な説明】
【００１３】
【図１】本発明の実施の形態１に係る印刷物の平面図であって、（ａ）は可視光線下の様子を示す図、（ｂ）は紫外線照射下の様子を示す図である。
【図２】本発明の実施の形態２に係る印刷物の平面図であって、（ａ）は可視光線下の様子を示す図、（ｂ）は紫外線照射下の様子を示す図、（ｃ）は特定赤外線照射下の様子を示す図である。
【図３】本発明の実施の形態３に係る印刷物の平面図であって、（ａ）は可視光線下の様子を示す図、（ｂ）は特定赤外線照射下の様子を示す図、（ｃ）は紫外線照射下の様子を示す図である。
【図４】本発明の実施の形態４に係る印刷物の平面図であって、（ａ）は可視光線下の様子を示す図、（ｂ）は紫外線照射下の様子を示す図、（ｃ）は特定赤外線照射下の様子を示す図である。
【図５】本発明の実施の形態５に係る印刷物の平面図であって、（ａ）は可視光線下の様子を示す図、（ｂ）は紫外線照射下の様子を示す図、（ｃ）は特定赤外線照射下の様子を示す図である。
【図６】本発明の実施の形態６に係る印刷物の平面図であって、（ａ）は可視光線下の様子を示す図、（ｂ）は紫外線照射下の様子を示す図である。
【発明を実施するための形態】
【００１４】
以下、本発明の実施の形態について説明する。
［発明の実施の形態１］
【００１５】
図１は、本発明の実施の形態１に係る図である。
【００１６】
この実施の形態１に係る印刷物１は、図１に示すように、紙などの印刷媒体２を有しており、印刷媒体２の中央部には、４色（ブルー、イエロー、グリーン、パープル）のフォトクロミック（ホトクロミック）染料による第１の情報３として、８桁の数字「１２３４５６７８」が印刷されている。ここで、第１の情報３のうち「１２」のフォトクロミック染料は、紫外線の照射により、可視光線下でブルー（青色）を呈し、第１の情報３のうち「３４」のフォトクロミック染料は、紫外線の照射により、可視光線下でイエロー（黄色）を呈する。また、第１の情報３のうち「５６」のフォトクロミック染料は、紫外線の照射により、可視光線下でグリーン（緑色）を呈し、第１の情報３のうち「７８」のフォトクロミック染料は、紫外線の照射により、可視光線下でパープル（紫色）を呈する。
【００１７】
したがって、印刷物１は、可視光線下では、図１（ａ）に示すように、印刷媒体２に印刷された第１の情報３を見ることができないが、ブラックライトなどの紫外線放射ランプによって波長３００〜４００ｎｍ程度の紫外線が照射されると、図１（ｂ）に示すように、４色の第１の情報３（すなわち、ブルーの「１２」、イエローの「３４」、グリーンの「５６」、パープルの「７８」）が見えるようになる。
【００１８】
以上のような構成を有する印刷物１を作製する際には、次の手順による。
【００１９】
まず、インク調製工程で、４色（ブルー、イエロー、グリーン、パープル）のフォトクロミック染料をそれぞれ適当な溶媒に溶かすことにより、４色（ブルー、イエロー、グリーン、パープル）のフォトクロミック（ホトクロミック）インクを調製する。例えば、各フォトクロミック染料を０．５ｇずつシンナー１００ｍｌに溶解させて、４色のフォトクロミックインクを調製する。
【００２０】
その後、印刷実行工程に移行し、先ほど調製した４色のフォトクロミックインクを用いて、印刷媒体２の中央部に第１の情報３を印刷する。例えば、印刷制御用のパソコンにインクジェットプリンタを接続し、各フォトクロミックインクをそれぞれ別個のヘッドにセットして、パソコンから適宜指令することにより、インクジェットプリンタで印刷媒体２に第１の情報３をインクジェット印刷する。
【００２１】
ここで、印刷物１の作製作業が終了し、印刷物１が出来上がる。
【００２２】
そして、このようにして作製された印刷物１においては、以下に説明するように、２段階のセキュリティで偽造を効果的に防止することができる。
【００２３】
すなわち、まず、印刷媒体２上の第１の情報３は、上述したとおり、可視光線下では、特定の波長の光（紫外線）を当てない限り、見ることができない。したがって、印刷物１を偽造しようとする者（以下、偽造者という。）にとっては、印刷媒体２のどの部位に第１の情報３が印刷されているかすら不明である。そのため、印刷物１は、高い偽造防止効果を発現する。これが、印刷物１の偽造に対する第１段階のセキュリティとなる。
【００２４】
さらに、たとえ第１の情報３の印刷部位が判明したとしても、フォトクロミック染料が高価であることに加えて、ここでは４色の各色と同じ色を呈するフォトクロミック染料を探し出すことが困難であることから、印刷物１の偽造防止効果が一層高くなる。これが、印刷物１の偽造に対する第２段階のセキュリティとなる。
【００２５】
このように、２段階のセキュリティで印刷物１の偽造が効果的に防止されるため、この印刷物１について、その偽造防止効果を高めて容易な模倣を阻止することが可能となる。
【００２６】
また、インクジェット印刷によって第１の情報３を印刷する場合には、細かいパターンも容易に印刷可能であるため、偽造しにくい利点もある。
［発明の実施の形態２］
【００２７】
図２は、本発明の実施の形態２に係る図である。
【００２８】
この実施の形態２に係る印刷物１は、図２に示すように、紙などの印刷媒体２を有しており、印刷媒体２の上段部には、４色（ブルー、イエロー、グリーン、パープル）のフォトクロミック染料による第１の情報３として、８桁の数字「１２３４５６７８」が印刷されている。ここで、第１の情報３のうち「１２」のフォトクロミック染料は、紫外線の照射により、可視光線下でブルー（青色）を呈し、第１の情報３のうち「３４」のフォトクロミック染料は、紫外線の照射により、可視光線下でイエロー（黄色）を呈する。また、第１の情報３のうち「５６」のフォトクロミック染料は、紫外線の照射により、可視光線下でグリーン（緑色）を呈し、第１の情報３のうち「７８」のフォトクロミック染料は、紫外線の照射により、可視光線下でパープル（紫色）を呈する。
【００２９】
したがって、印刷物１は、可視光線下では、図２（ａ）に示すように、印刷媒体２に印刷された第１の情報３を見ることができないが、ブラックライトなどの紫外線放射ランプによって波長３００〜４００ｎｍ程度の紫外線が照射されると、図２（ｂ）に示すように、４色の第１の情報３（すなわち、ブルーの「１２」、イエローの「３４」、グリーンの「５６」、パープルの「７８」）が見えるようになる。
【００３０】
また、印刷媒体２の下段部（すなわち、第１の情報３と異なる部位）には、特定波長域の赤外線に反応して可視光線を発光する赤外線発光染料による第２の情報４として、７つの大文字アルファベット「ＡＢＣＤＥＦＧ」が印刷されている。したがって、印刷物１は、特定波長域の赤外線が照射されると、図２（ｃ）に示すように、第２の情報４が発色して所定の色（例えば、レッド、グリーン）を呈する。
【００３１】
以上のような構成を有する印刷物１を作製する際には、次の手順による。
【００３２】
まず、インク調製工程で、上述した実施の形態１と同様にして、４色（ブルー、イエロー、グリーン、パープル）のフォトクロミックインクを調製する。また、特定波長域の赤外線に反応して可視光線を発光する赤外線発光染料を適当な溶媒に溶かすことにより、特定波長域の赤外線に反応して可視光線を発光する赤外線発光インクを調製する。例えば、赤外線発光染料１．０ｇをシンナー１００ｍｌに溶解させて、赤外線発光インクを調製する。
【００３３】
その後、印刷実行工程に移行し、上述した実施の形態１と同様に、先ほど調製した４色のフォトクロミックインクを用いて、印刷媒体２の上段部に第１の情報３を印刷する。また、先ほど調製した赤外線発光インクを用いて、印刷媒体２の下段部に第２の情報４を印刷する。例えば、印刷制御用のパソコンにインクジェットプリンタを接続し、赤外線発光インクをヘッドにセットして、パソコンから適宜指令することにより、インクジェットプリンタで印刷媒体２に第２の情報４をインクジェット印刷する。
【００３４】
ここで、印刷物１の作製作業が終了し、印刷物１が出来上がる。
【００３５】
そして、このようにして作製された印刷物１においては、以下に説明するように、３段階のセキュリティで偽造を効果的に防止することができる。
【００３６】
すなわち、まず、印刷媒体２上の第１の情報３は、上述したとおり、可視光線下では、特定の波長の光（紫外線）を当てない限り、見ることができず、また、印刷媒体２上の第２の情報４は、特定の波長の光（赤外線）を当てない限り、見ることができない。したがって、偽造者にとっては、印刷媒体２のどの部位に第１および第２の情報３、４が印刷されているかすら不明である。そのため、印刷物１は、高い偽造防止効果を発現する。これが、印刷物１の偽造に対する第１段階のセキュリティとなる。
【００３７】
さらに、たとえ第１の情報３の印刷部位が判明したとしても、フォトクロミック染料が高価であることに加えて、ここでは４色の各色と同じ色を呈するフォトクロミック染料を探し出すことが困難であることから、印刷物１の偽造防止効果が一層高くなる。これが、印刷物１の偽造に対する第２段階のセキュリティとなる。
【００３８】
また、たとえ第２の情報４の印刷部位が判明したとしても、特定波長域の赤外線に反応して可視光線を発光する赤外線発光染料が高価であることに加えて、特定波長域の赤外線を発光する光源を用意する必要があることから、印刷物１の偽造防止効果がさらに高くなる。しかも、特定波長域の赤外線の波長は単波長であることが必要であり、その波長は第三者には判らないため、この赤外線を準備することは非常に困難となる。したがって、印刷物１の偽造防止効果が格段に高くなる。これが、印刷物１の偽造に対する第３段階のセキュリティとなる。
【００３９】
このように、３段階のセキュリティで印刷物１の偽造が効果的に防止されるため、この印刷物１について、その偽造防止効果を高めて容易な模倣を阻止することが可能となる。
【００４０】
また、インクジェット印刷によって第１の情報３を印刷する場合には、細かいパターンも容易に印刷可能であるため、偽造しにくい利点もある。
［発明の実施の形態３］
【００４１】
図３は、本発明の実施の形態３に係る図である。
【００４２】
この実施の形態３に係る印刷物１は、図３に示すように、紙などの印刷媒体２を有しており、印刷媒体２の上段部には、特定波長域の赤外線に反応して可視光線を発光する赤外線発光染料による第２の情報４として、７つの大文字アルファベット「ＡＢＣＤＥＦＧ」が印刷されている。したがって、印刷物１は、可視光線下では、図３（ａ）に示すように、印刷媒体２に印刷された第２の情報４を見ることができないが、特定波長域の赤外線が照射されると、図３（ｂ）に示すように、第２の情報４が発色して所定の色（例えば、レッド、グリーン）を呈する。
【００４３】
また、印刷媒体２の下段部（すなわち、第２の情報４と異なる部位）には、可視光に対して透明で、かつ紫外線で発光する蛍光染料による第３の情報５として、７つの小文字アルファベット「ａｂｃｄｅｆｇ」が印刷されている。したがって、印刷物１は、ブラックライトなどの紫外線放射ランプによって波長３００〜４００ｎｍ程度の紫外線が照射されると、図３（ｃ）に示すように、第３の情報５が発色して所定の色（例えば、青紫色）を呈する。
【００４４】
以上のような構成を有する印刷物１を作製する際には、次の手順による。
【００４５】
まず、インク調製工程で、上述した実施の形態２と同様にして、特定波長域の赤外線に反応して可視光線を発光する赤外線発光インクを調製する。また、可視光に対して透明で、かつ紫外線で発光する蛍光染料を適当な溶媒に溶かすことにより、可視光に対して透明で、かつ紫外線で発光する蛍光インクを調製する。例えば、蛍光染料１．０ｇをシンナー１００ｍｌに溶解させて、蛍光インクを調製する。
【００４６】
その後、印刷実行工程に移行し、上述した実施の形態２と同様に、先ほど調製した赤外線発光インクを用いて、印刷媒体２の上段部に第２の情報４を印刷する。また、先ほど調製した蛍光インクを用いて、印刷媒体２の下段部に第３の情報５を印刷する。例えば、印刷制御用のパソコンにインクジェットプリンタを接続し、蛍光インクをヘッドにセットして、パソコンから適宜指令することにより、インクジェットプリンタで印刷媒体２に第３の情報５をインクジェット印刷する。
【００４７】
ここで、印刷物１の作製作業が終了し、印刷物１が出来上がる。
【００４８】
そして、このようにして作製された印刷物１においては、以下に説明するように、３段階のセキュリティで偽造を効果的に防止することができる。
【００４９】
すなわち、まず、印刷媒体２上の第２の情報４は、特定の波長の光（赤外線）を当てない限り、見ることができず、また、印刷媒体２上の第３の情報５は、特定の波長の光（紫外線）を当てない限り、見ることができない。したがって、偽造者にとっては、印刷媒体２のどの部位に第２および第３の情報４、５が印刷されているかすら不明である。そのため、印刷物１は、高い偽造防止効果を発現する。これが、印刷物１の偽造に対する第１段階のセキュリティとなる。
【００５０】
さらに、たとえ第２の情報４の印刷部位が判明したとしても、特定波長域の赤外線に反応して可視光線を発光する赤外線発光染料が高価であることに加えて、特定波長域の赤外線を発光する光源を用意する必要があることから、印刷物１の偽造防止効果が一層高くなる。しかも、特定波長域の赤外線の波長は単波長であることが必要であり、その波長は第三者には判らないため、この赤外線を準備することは非常に困難となる。したがって、印刷物１の偽造防止効果が格段に高くなる。これが、印刷物１の偽造に対する第２段階のセキュリティとなる。
【００５１】
また、たとえ第３の情報５の印刷部位が判明したとしても、可視光に対して透明で、かつ紫外線で発光する蛍光染料が高価であることに加えて、紫外線を発光する光源を用意する必要があることから、印刷物１の偽造防止効果がますます高くなる。これが、印刷物１の偽造に対する第３段階のセキュリティとなる。
【００５２】
このように、３段階のセキュリティで印刷物１の偽造が効果的に防止されるため、この印刷物１について、その偽造防止効果を高めて容易な模倣を阻止することが可能となる。
【００５３】
また、インクジェット印刷によって第１の情報３を印刷する場合には、細かいパターンも容易に印刷可能であるため、偽造しにくい利点もある。
［発明の実施の形態４］
【００５４】
図４は、本発明の実施の形態４に係る図である。
【００５５】
この実施の形態４に係る印刷物１は、図４に示すように、紙などの印刷媒体２を有しており、印刷媒体２の中央部には、４色（ブルー、イエロー、グリーン、パープル）のフォトクロミック染料による第１の情報３として、８桁の数字「１２３４５６７８」が印刷されている。ここで、第１の情報３のうち「１２」のフォトクロミック染料は、紫外線の照射により、可視光線下でブルー（青色）を呈し、第１の情報３のうち「３４」のフォトクロミック染料は、紫外線の照射により、可視光線下でイエロー（黄色）を呈する。また、第１の情報３のうち「５６」のフォトクロミック染料は、紫外線の照射により、可視光線下でグリーン（緑色）を呈し、第１の情報３のうち「７８」のフォトクロミック染料は、紫外線の照射により、可視光線下でパープル（紫色）を呈する。
【００５６】
また、印刷媒体２の中央部（すなわち、第１の情報３と同一の部位）には、特定波長域の赤外線に反応して可視光線を発光する赤外線発光染料による第２の情報４として、８桁の数字「１２３４５６７８」が第１の情報３に重なる形で印刷されている。
【００５７】
さらに、印刷媒体２の中央部（すなわち、第１の情報３と同一の部位）には、可視光に対して透明で、かつ紫外線で発光する蛍光染料による第３の情報５として、８桁の数字「１２３４５６７８」が第１の情報３に重なる形で印刷されている。
【００５８】
したがって、印刷物１は、可視光線下では、図４（ａ）に示すように、印刷媒体２に印刷された第１〜３の情報３、４、５を見ることができないが、ブラックライトなどの紫外線放射ランプによって波長３００〜４００ｎｍ程度の紫外線が照射されると、図４（ｂ）に示すように、４色の第１の情報３（すなわち、ブルーの「１２」、イエローの「３４」、グリーンの「５６」、パープルの「７８」）に第３の情報５の発色（例えば、青紫色）が合成された色が見えるようになる。また、印刷物１は、特定波長域の赤外線が照射されると、図４（ｃ）に示すように、第２の情報４が発色して所定の色（例えば、レッド、グリーン）を呈する。
【００５９】
以上のような構成を有する印刷物１を作製する際には、次の手順による。
【００６０】
まず、インク調製工程で、上述した実施の形態１と同様にして、４色（ブルー、イエロー、グリーン、パープル）のフォトクロミックインクを調製する。また、上述した実施の形態２と同様にして、特定波長域の赤外線に反応して可視光線を発光する赤外線発光インクを調製する。さらに、上述した実施の形態３と同様にして、可視光に対して透明で、かつ紫外線で発光する蛍光インクを調製する。
【００６１】
その後、印刷実行工程に移行し、上述した実施の形態１と同様に、先ほど調製した４色のフォトクロミックインクを用いて、印刷媒体２の中央部に第１の情報３を印刷する。また、上述した実施の形態２と同様に、先ほど調製した赤外線発光インクを用いて、印刷媒体２の中央部に第２の情報４を第１の情報３に重ねて印刷する。さらに、上述した実施の形態３と同様に、先ほど調製した蛍光インクを用いて、印刷媒体２の中央部に第３の情報５を第２の情報４に重ねて印刷する。
【００６２】
ここで、印刷物１の作製作業が終了し、印刷物１が出来上がる。
【００６３】
そして、このようにして作製された印刷物１においては、以下に説明するように、４段階のセキュリティで偽造を効果的に防止することができる。
【００６４】
すなわち、まず、印刷媒体２上の第１および第３の情報３、５は、上述したとおり、可視光線下では、特定の波長の光（紫外線）を当てない限り、見ることができず、また、印刷媒体２上の第２の情報４は、特定の波長の光（赤外線）を当てない限り、見ることができない。したがって、偽造者にとっては、印刷媒体２のどの部位に第１〜３の情報３、４、５が印刷されているかすら不明である。そのため、印刷物１は、高い偽造防止効果を発現する。これが、印刷物１の偽造に対する第１段階のセキュリティとなる。
【００６５】
さらに、たとえ第１の情報３の印刷部位が判明したとしても、フォトクロミック染料が高価であることに加えて、ここでは４色の各色と同じ色を呈するフォトクロミック染料を探し出すことが困難であることから、印刷物１の偽造防止効果が一層高くなる。これが、印刷物１の偽造に対する第２段階のセキュリティとなる。
【００６６】
また、たとえ第２の情報４の印刷部位が判明したとしても、特定波長域の赤外線に反応して可視光線を発光する赤外線発光染料が高価であることに加えて、特定波長域の赤外線を発光する光源を用意する必要があることから、印刷物１の偽造防止効果がさらに高くなる。しかも、特定波長域の赤外線の波長は単波長であることが必要であり、その波長は第三者には判らないため、この赤外線を準備することは非常に困難となる。したがって、印刷物１の偽造防止効果が格段に高くなる。これが、印刷物１の偽造に対する第３段階のセキュリティとなる。
【００６７】
また、たとえ第３の情報５の印刷部位が判明したとしても、可視光に対して透明で、かつ紫外線で発光する蛍光染料が高価であることに加えて、紫外線を発光する光源を用意する必要があることから、印刷物１の偽造防止効果がますます高くなる。これが、印刷物１の偽造に対する第４段階のセキュリティとなる。
【００６８】
このように、４段階のセキュリティで印刷物１の偽造が効果的に防止されるため、この印刷物１について、その偽造防止効果を高めて容易な模倣を阻止することが可能となる。
【００６９】
その上、第１〜３の情報３、４、５は、印刷媒体２上の同一の部位（中央部）に印刷された同一の情報（「１２３４５６７８」）であるため、偽造者は、このように複数の情報が重ねて印刷されていること自体に気付かず、１段階の偽造防止技術を見抜いただけで安心してしまう公算が大きい。その結果、印刷物１の偽造防止効果が極めて高くなる。
［発明の実施の形態５］
【００７０】
図５は、本発明の実施の形態５に係る図である。
【００７１】
この実施の形態５に係る印刷物１は、図５に示すように、紙などの印刷媒体２を有しており、印刷媒体２の下段部左側には、フォトクロミック染料による第１の情報３として、３つのアルファベット「Ｇｅｎ」が印刷されている。また、印刷媒体２の上段部右側（すなわち、第１の情報３と異なる部位）には、特定波長域の赤外線に反応して可視光線を発光する赤外線発光染料による第２の情報４として、４つの大文字アルファベット「ＡＢＣＤ」が印刷されている。また、印刷媒体２の下段部右側（すなわち、第１の情報３とも第２の情報４とも異なる部位）には、可視光に対して透明で、かつ紫外線で発光する蛍光染料による第３の情報５として、４つの小文字アルファベット「ｕｉｎｅ」が印刷されている。さらに、印刷媒体２の上段部左側（すなわち、第１の情報３とも第２の情報４とも第３の情報５とも異なる部位）には、可視染料による第４の情報６として、４桁の数字「１２３４」が印刷されている。
【００７２】
したがって、印刷物１は、可視光線下では、図５（ａ）に示すように、印刷媒体２に印刷された第４の情報６（すなわち、「１２３４」）しか見えないが、ブラックライトなどの紫外線放射ランプによって波長３００〜４００ｎｍ程度の紫外線が照射されると、図５（ｂ）に示すように、この第４の情報６に加えて、第１の情報３（すなわち、「Ｇｅｎ」）および第３の情報５（すなわち、「ｕｉｎｅ」）が見えるようになる。また、印刷物１は、特定波長域の赤外線が照射されると、図５（ｃ）に示すように、第４の情報６に加えて、第２の情報４（すなわち、「ＡＢＣＤ」）が見えるようになる。
【００７３】
以上のような構成を有する印刷物１を作製する際には、次の手順による。
【００７４】
まず、インク調製工程で、上述した実施の形態１と同様にして、フォトクロミックインクを調製する。また、上述した実施の形態２と同様にして、特定波長域の赤外線に反応して可視光線を発光する赤外線発光インクを調製する。また、上述した実施の形態３と同様にして、可視光に対して透明で、かつ紫外線で発光する蛍光インクを調製する。さらに、可視染料を適当な溶媒に溶かすことにより、可視インクを調製する。
【００７５】
その後、印刷実行工程に移行し、上述した実施の形態１と同様に、先ほど調製したフォトクロミックインクを用いて、印刷媒体２の下段部左側に第１の情報３を印刷する。また、上述した実施の形態２と同様に、先ほど調製した赤外線発光インクを用いて、印刷媒体２の上段部右側に第２の情報４を印刷する。また、上述した実施の形態３と同様に、先ほど調製した蛍光インクを用いて、印刷媒体２の下段部右側に第３の情報５を印刷する。さらに、先ほど調製した可視インクを用いて、印刷媒体２の上段部左側に第４の情報６を印刷する。例えば、印刷制御用のパソコンにインクジェットプリンタを接続し、可視インクをヘッドにセットして、パソコンから適宜指令することにより、インクジェットプリンタで印刷媒体２に第４の情報６をインクジェット印刷する。
【００７６】
ここで、印刷物１の作製作業が終了し、印刷物１が出来上がる。
【００７７】
そして、このようにして作製された印刷物１においては、上述した実施の形態４と同様、４段階のセキュリティで偽造を効果的に防止することができる。したがって、印刷物１の偽造防止効果を高めて容易な模倣を阻止することが可能となる。
【００７８】
なお、ここでは、第１〜４の情報３、４、５、６をそれぞれ印刷媒体２上の互いに異なる部位（印刷媒体２の下段部左側、上段部右側、下段部右側、上段部左側）に印刷されている印刷物１を例示して説明したが、これら第１〜４の情報３、４、５、６のうち２つ以上の情報を印刷媒体２上の同一の部位に重ねて印刷することも勿論できる。
［発明の実施の形態６］
【００７９】
図６は、本発明の実施の形態６に係る図である。
【００８０】
この実施の形態６に係る印刷物１は、図６に示すように、印刷媒体２の中央部に、２色（ブルー、レッド）のフォトクロミック染料による第１の情報３として、８桁の数字に代えて２次元マトリックス状のパターン情報が印刷されている点を除き、上述した実施の形態１と同じ構成を有している。
【００８１】
このパターン情報においては、４行４列の２次元マトリックスを構成する１６個の升目のうち、右上がりの斜線で示された８個の升目（第１行第１列、第１行第４列、第２行第１列、第２行第４列、第３行第１列、第３行第４列、第４行第１列、第４行第４列の升目）にはそれぞれ、紫外線の照射により、可視光線下でブルー（青色）を呈するフォトクロミック染料が塗布されているとともに、右下がりの斜線で示された２個の升目（第２行第２列、第３行第３列の升目）にはそれぞれ、紫外線の照射により、可視光線下でレッド（赤色）を呈するフォトクロミック染料が塗布されている。
【００８２】
したがって、印刷物１は、可視光線下では、図６（ａ）に示すように、印刷媒体２に印刷された第１の情報３を見ることができないが、ブラックライトなどの紫外線放射ランプによって波長３００〜４００ｎｍ程度の紫外線が照射されると、図６（ｂ）に示すように、２色の第１の情報３が全体として「Ｎ」字形に見えるようになる。このとき、「Ｎ」を構成する縦線２本は可視光線下でブルーを呈するとともに、「Ｎ」を構成する斜線１本は可視光線下でレッドを呈する。
【００８３】
以上のような構成を有する印刷物１を作製する際には、上述した実施の形態１と同じ手順による。
【００８４】
また、この印刷物１では、上述した実施の形態１と同様、２段階のセキュリティで偽造を効果的に防止することができる。したがって、印刷物１の偽造防止効果を高めて容易な模倣を阻止することが可能となる。
［発明の実施の形態７］
【００８５】
上述した実施の形態２では、フォトクロミック染料による第１の情報３と、特定波長域の赤外線に反応して可視光線を発光する赤外線発光染料による第２の情報４とが、印刷媒体２上の互いに異なる部位に印刷されている印刷物１について説明した。また、上述した実施の形態３では、特定波長域の赤外線に反応して可視光線を発光する赤外線発光染料による第２の情報４と、可視光に対して透明で、かつ紫外線で発光する蛍光染料による第３の情報５とが、印刷媒体２上の互いに異なる部位に印刷されている印刷物１について説明した。
【００８６】
しかし、フォトクロミック染料による第１の情報３と、可視光に対して透明で、かつ紫外線で発光する蛍光染料による第３の情報５とを組み合わせることもできる。このとき、フォトクロミック染料による第１の情報３と、可視光に対して透明で、かつ紫外線で発光する蛍光染料による第３の情報５とは、印刷媒体２上の互いに異なる部位に別個に印刷してもよく、印刷媒体２上の同一の部位に重ねて印刷しても構わない。
【００８７】
この場合も、上述した実施の形態２、３と同様、３段階のセキュリティで偽造を効果的に防止することができる。したがって、印刷物１の偽造防止効果を高めて容易な模倣を阻止することが可能となる。
［発明の実施の形態８］
【００８８】
上述した実施の形態４では、フォトクロミック染料による第１の情報３と、特定波長域の赤外線に反応して可視光線を発光する赤外線発光染料による第２の情報４と、可視光に対して透明で、かつ紫外線で発光する蛍光染料による第３の情報５とが、印刷媒体２上の同一の部位に重なる形で印刷されている印刷物１について説明したが、これら第１〜３の情報３、４、５のうち１つ以上の情報を印刷媒体２上の別の部位に印刷することもできる。
【００８９】
この場合も、上述した実施の形態４と同様、４段階のセキュリティで偽造を効果的に防止することができる。したがって、印刷物１の偽造防止効果を高めて容易な模倣を阻止することが可能となる。
［発明のその他の実施の形態］
【００９０】
なお、上述した実施の形態４、８では、フォトクロミック染料による第１の情報３に加えて、特定波長域の赤外線に反応して可視光線を発光する赤外線発光染料による第２の情報４と、可視光に対して透明で、かつ紫外線で発光する蛍光染料による第３の情報５とが、印刷媒体２に印刷されている印刷物１について説明し、上述した実施の形態５では、フォトクロミック染料による第１の情報３に加えて、特定波長域の赤外線に反応して可視光線を発光する赤外線発光染料による第２の情報４と、可視光に対して透明で、かつ紫外線で発光する蛍光染料による第３の情報５と、可視染料による第４の情報６とが、印刷媒体２に印刷されている印刷物１について説明した。
【００９１】
しかし、第１の情報３に加えて印刷する第２〜４の情報４、５、６（以下、これらを総括して「第５の情報」と称する。）を構成する染料としては、上記の染料（赤外線発光染料、蛍光染料、可視染料）に限らず、波長の異なる光源に反応して発光する複数種類（２種類以上）の染料を広く用いることができる。このとき、この第５の情報は、印刷媒体２上の第１の情報３と異なる部位に別個に印刷してもよいが、第５の情報を第１の情報３と同一の情報とし、これを印刷媒体２上の同一の部位に重なる形で印刷するようにしても構わない。この場合、第５の情報が第１の情報３に重なっているため、偽造者は、このように複数の情報が重ねて印刷されていること自体に気付かず、１段階の偽造防止技術を見抜いただけで安心してしまう公算が大きい。その結果、印刷物１の偽造防止効果が極めて高くなる。
【００９２】
また、上述した実施の形態１、２、４では、４色のフォトクロミック染料を用いる場合について説明し、上述した実施の形態６では、２色のフォトクロミック染料を用いる場合について説明したが、これらの色の並べ替え、色種交換を定期的に行うことにより、印刷物１の偽造防止効果をさらに高めることができる。また、フォトクロミック染料の色数は、必ずしも４とする必要はなく、任意の複数（２以上）とすることができる。
【産業上の利用可能性】
【００９３】
本発明は、携帯電話、カメラなどの民生用電子機器、或いは、重要印刷物の台紙、紙幣用紙、各種証券、証明書、金券、商品券、チケット、金額表示タグなどの重要書類に広く適用することができる。
【符号の説明】
【００９４】
１……印刷物
２……印刷媒体
３……第１の情報
４……第２の情報
５……第３の情報
６……第４の情報
【図１】
2010173292.tif 000003
【図２】
2010173292.tif 000004
【図３】
2010173292.tif 000005
【図４】
2010173292.tif 000006
【図５】
2010173292.tif 000007
【図６】
2010173292.tif 000008